(57)【要約】【課題】操作体の移動方向と表示情報の移動方向との関連性を直感的に提示することが可能な情報処理装置を提供する。【解決手段】本発明の情報処理装置１００は、所定の操作方向の操作入力を検出する検出部１１２、１１４と、所定の操作方向を示す第１の補助情報と、表示部１１６に対する表示情報の移動方向を示す第２の補助情報とを、表示部１１６に表示させ、検出部１１２、１１４による操作入力の検出に基づいて、第１の補助情報を移動方向に移動させ、第２の補助情報を第１の補助情報の移動に連動して移動させると供に、表示情報を移動させる表示制御部１２０と、を備える。【選択図】図３
2011107912.tif 000002
【特許請求の範囲】
【請求項１】
所定の操作方向の操作入力を検出する検出部と、
前記所定の操作方向を示す第１の補助情報と、表示部に対する前記表示情報の移動方向を示す第２の補助情報とを、前記表示部に表示させ、前記検出部による操作入力の検出に基づいて、前記第１の補助情報を前記移動方向に移動させ、前記第２の補助情報を前記第１の補助情報の移動に連動して移動させると供に、前記表示情報を移動させる表示制御部と、
を備える、情報処理装置。
【請求項２】
前記表示情報は前記表示部に対して複数方向に移動可能であって、
前記表示制御部は、前記検出部による押圧操作入力の検出に基づいて、前記表示情報の移動方向と前記第２の補助情報の前記表示情報の移動方向を示す表示とを変更する、請求項１に記載の情報処理装置。
【請求項３】
前記表示制御部は、前記検出部によって押圧操作入力と供に移動操作入力が検出されたときに、前記検出部が検出する押圧操作入力の大きさに基づいて、前記表示情報を拡大または縮小させる、請求項１に記載の情報処理装置。
【請求項４】
前記表示制御部は、前記検出部によって押圧操作入力と供に移動操作入力が検出されたときに、前記検出部が検出する押圧操作入力の大きさに基づいて、前記表示情報を奥行方向に移動させるとともに、前記奥行方向を示す前記第２の補助情報を表示させる、請求項１に記載の情報処理装置。
【請求項５】
前記表示制御部は、前記検出部が検出する押圧操作入力の大きさに基づいて、前記表示情報の移動量を変更する、請求項１に記載の情報処理装置。
【請求項６】
前記補助情報は、ギアをグラフィック表示したギアグラフィックであり、
前記表示制御部は、
前記検出部により検出された操作入力に基づいて、前記表示情報を移動させるとともに、
前記操作方向を示す第１のギアグラフィックを前記操作方向に移動させ、
前記第１のギアグラフィックと噛合し、前記表示部に対する前記表示情報の移動方向を示す第２のギアグラフィックを、前記第１のギアグラフィックの移動に連動させて表示させる、請求項１に記載の情報処理装置。
【請求項７】
前記表示制御部は、操作入力を行う操作体の移動量と前記表示情報の移動量との比に応じて、前記補助情報として表示するギアグラフィックのギア比を変更する、請求項６に記載の情報処理装置。
【請求項８】
前記表示制御部は、前記補助情報を前記表示部の周縁領域に表示させる、請求項１に記載の情報処理装置。
【請求項９】
前記表示制御部は、前記表示情報の全体サイズに対する前記表示部の表示領域に表示されている表示範囲の割合および位置を表す第３の補助情報を前記表示部に表示させる、請求項１に記載の情報処理装置。
【請求項１０】
所定の操作方向の操作入力を検出する検出ステップと、
前記操作方向を示す第１の補助情報と、表示手段に対する前記表示情報の移動方向を示す第２の補助情報とを、前記表示手段に表示させる表示ステップと、
前記検出された操作入力に基づいて、前記第１の補助情報を前記移動方向に移動させ、前記第２の補助情報を前記第１の補助情報の移動に連動して移動させると供に、前記表示情報を移動させる表示制御ステップと、
を含む、情報処理方法。
【請求項１１】
所定の操作方向の操作入力を検出する検出手段と、
前記操作方向を示す第１の補助情報と、表示手段に対する前記表示情報の移動方向を示す第２の補助情報とを、前記表示手段に表示させ、前記検出手段による操作入力の検出に基づいて、前記第１の補助情報を前記移動方向に移動させ、前記第２の補助情報を前記第１の補助情報の移動に連動して移動させると供に、前記表示情報を移動させる情報処理装置として機能させるためのプログラム。
【発明の詳細な説明】
【技術分野】
【０００１】
本発明は、操作体の動きに応じて表示部に表示されている表示内容を移動させる情報処理装置、情報処理方法およびプログラムに関する。
【背景技術】
【０００２】
近年、情報の入出力操作を誰でも容易に行うことができるようにするための手段として、タッチパネルを用いたＵＩ（Ｕｓｅｒ  Ｉｎｔｅｒｆａｃｅ）が普及している。例えば、ユーザは、指等の操作体で画面を直接ドラッグして画面スクロールを行うジェスチャを行うことにより、当該ジェスチャに関連付けられた操作処理を実行することができる（例えば、特許文献１）。ジェスチャには、そのジェスチャからユーザが直感的に想像しやすい操作処理を関連付けることにより、ジェスチャによる入力操作を容易にすることができる。
【先行技術文献】
【特許文献】
【０００３】
【特許文献１】特開２００９−２０５６７５号公報
【発明の概要】
【発明が解決しようとする課題】
【０００４】
しかし、ユーザが操作するデバイスの構成上、デバイスにより認識できるジェスチャの種類に限界があり、操作処理とジェスチャとを一対一に対応付けることができない場合がある。例えば、操作体による操作方向が一方向のみである場合には、上下、左右といった複数方向への移動操作を行うためには、操作方向に対応する操作領域をそれぞれ設けることになる。このように複数の操作領域を設けると、表示情報を移動させるために操作体を頻繁に移動させなければならず、操作性が低下する。
【０００５】
また、操作体の移動方向と表示情報の移動方向とが相違する場合、ユーザにとってはその操作を直感的に理解することが難しくなる。さらに、操作体の操作量に対する表示情報の移動量が異なると、表示情報を大きく移動させたり微調整したりするといった、表示情報の位置調整を行うことも困難である。
【０００６】
そこで、本発明は、上記問題に鑑みてなされたものであり、本発明の目的とするところは、操作体の移動方向と表示情報の移動方向との関連性を直感的に提示することが可能な、新規かつ改良された情報処理装置、情報処理方法およびプログラムを提供することにある。
【課題を解決するための手段】
【０００７】
上記課題を解決するために、本発明のある観点によれば、所定の操作方向の操作入力を検出する検出部と、所定の操作方向を示す第１の補助情報と、表示部に対する表示情報の移動方向を示す第２の補助情報とを、表示部に表示させ、検出部による操作入力の検出に基づいて、第１の補助情報を移動方向に移動させ、第２の補助情報を第１の補助情報の移動に連動して移動させると供に、表示情報を移動させる表示制御部と、を備える、情報処理装置が提供される。
【０００８】
本発明によれば、表示部に表示された表示情報の表示範囲を移動させる際に、表示制御部によって表示情報を移動させる操作体の移動方向と表示情報の移動方向とを示す補助情報を表示する。このとき、第１の補助情報と第２の補助情報とが連動して動くように表示することにより、操作方向と表示情報の移動方向との関連性を視覚的にわかりやすくユーザに提示することができ、操作性を向上させることができる。
【０００９】
ここで、表示情報は表示部に対して複数方向に移動可能であって、表示制御部は、検出部による押圧操作入力の検出に基づいて、表示情報の移動方向と第２の補助情報の表示情報の移動方向を示す表示とを変更してもよい。
【００１０】
また、表示制御部は、検出部によって押圧操作入力と供に移動操作入力が検出されたときに、検出部が検出する押圧操作入力の大きさに基づいて、表示情報を拡大または縮小させてもよい。
【００１１】
さらに、表示制御部は、検出部によって押圧操作入力と供に移動操作入力が検出されたときに、検出部が検出する押圧操作入力の大きさに基づいて、表示情報を奥行方向に移動させるとともに、奥行方向を示す第２の補助情報を表示させてもよい。
【００１２】
また、表示制御部は、検出部が検出する押圧操作入力の大きさに基づいて、表示情報の移動量を変更してもよい。
【００１３】
補助情報は、ギアをグラフィック表示したギアグラフィックであり、表示制御部は、検出部により検出された操作入力に基づいて、表示情報を移動させるとともに、操作方向を示す第１のギアグラフィックを操作方向に移動させ、第１のギアグラフィックと噛合し、表示部に対する表示情報の移動方向を示す第２のギアグラフィックを、第１のギアグラフィックの移動に連動させて表示させてもよい。
【００１４】
また、表示制御部は、操作入力を行う操作体の移動量と表示情報の移動量との比に応じて、補助情報として表示するギアグラフィックのギア比を変更してもよい。
【００１５】
さらに、表示制御部は、補助情報を表示部の周縁領域に表示させてもよい。
【００１６】
また、表示制御部は、表示情報の全体サイズに対する表示部の表示領域に表示されている表示範囲の割合および位置を表す第３の補助情報を表示部に表示させてもよい。
【００１７】
また、上記課題を解決するために、本発明の別の観点によれば、所定の操作方向の操作入力を検出する検出ステップと、操作方向を示す第１の補助情報と、表示手段に対する表示情報の移動方向を示す第２の補助情報とを、表示手段に表示させる表示ステップと、検出された操作入力に基づいて、第１の補助情報を移動方向に移動させ、第２の補助情報を第１の補助情報の移動に連動して移動させると供に、表示情報を移動させる表示制御ステップと、を含む、情報処理方法が提供される。
【００１８】
さらに、上記課題を解決するために、本発明の別の観点によれば、コンピュータに上記の情報処理装置として機能させるためのコンピュータプログラムが提供される。コンピュータプログラムは、コンピュータが備える記憶装置に格納され、コンピュータが備えるＣＰＵに読み込まれて実行されることにより、そのコンピュータを上記の情報処理装置として機能させる。また、コンピュータプログラムが記録された、コンピュータで読み取り可能な記録媒体も提供される。記録媒体は、例えば磁気ディスクや光ディスクなどである。
【発明の効果】
【００１９】
以上説明したように本発明によれば、操作体の移動方向と表示情報の移動方向との関連性を直感的に提示することが可能な情報処理装置、情報処理方法およびプログラムを提供することができる。
【図面の簡単な説明】
【００２０】
【図１】本発明の第１の実施形態に係る情報処理装置を備える撮像装置を示す説明図である。
【図２】同実施形態に係る情報処理装置を備える撮像装置の補助情報の表示例を示す説明図である。
【図３】同実施形態に係る情報処理装置を備える撮像装置の補助情報の他の表示例を示す説明図である。
【図４】同実施形態に係る情報処理装置のハードウェア構成を示すブロック図である。
【図５】同実施形態に係る情報処理装置の表示装置およびセンサ部の一構成例を示す説明図である。
【図６】同実施形態に係る情報処理装置の表示装置およびセンサ部の他の構成例を示す説明図である。
【図７】同実施形態に係る情報処理装置の機能構成を示すブロック図である。
【図８】同実施形態に係る情報処理装置の表示制御処理を示すフローチャートである。
【図９】操作体の移動方向と表示情報の移動方向との関連性を示す補助情報の表示例を示す説明図である。
【図１０】補助情報の表示の切り替えの一例を示す説明図である。
【図１１】補助情報として歯車のグラフィックを表示させた一例を示す説明図である。
【図１２】変速ギアの機能を適用してコンテンツの移動速度を示す補助情報の一表示例を示す説明図である。
【図１３】補助情報であるグラフィックにコンテンツの表示範囲を示す補助情報をさらに表示した一表示例を示す説明図である。
【図１４】本発明の第４の実施形態に係る情報処理装置によるコンテンツの拡大縮小処理を示す説明図である。
【図１５】第１〜第４の実施形態に係る情報処理装置による表示制御処理をウェブブラウザの操作に適用した場合の一例を示す。
【図１６】第１〜第４の実施形態に係る情報処理装置による表示制御処理をマップビューワーの操作に適用した場合の一例を示す。
【図１７】複数のコンテンツが奥行方向に配列されたコンテンツ一覧を操作するときの、奥行方向の移動を示す補助情報の一表示例を示す説明図である。
【図１８】表示情報の表示倍率を奥行方向に延びる補助情報によって表すときの一表示例を示す説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
１．第１の実施の形態（補助情報を表示させる情報処理装置の構成とそれによる表示制御）
２．第２の実施の形態（補助情報の表示例：回転方向の直線方向への変換）
３．第３の実施の形態（補助情報の表示例：表示情報の表示範囲および位置を表す補助情報）
４．第４の実施の形態（表示情報の拡大縮小）
５．第５の実施の形態（補助情報の表示例：奥行方向への移動）
【００２３】
＜１．第１の実施形態＞
［情報処理装置を備える撮像装置の構成例］
まず、図１〜図３に基づいて、本発明の第１の実施形態に係る情報処理装置を備える撮像装置の構成例について説明する。なお、図１は、本実施形態に係る情報処理装置を備える撮像装置１を示す説明図である。図２および図３は、本実施形態に係る情報処理装置を備える撮像装置１の補助情報の表示例を示す説明図である。
【００２４】
本実施形態に係る情報処理装置は、操作体により入力される操作入力に応じて移動する表示情報の移動方向を視覚的に表示させるものであり、例えば、図１に示すような撮像装置１に備えることができる。本実施形態に係る撮像装置１は、筐体１０の前面側に設けられたレンズを介して撮像素子で取得した画像を表示するためのディスプレイ２０を、筐体１０の背面側に備えている。また、撮像装置１は、ディスプレイ２０の端辺、あるいはディスプレイ２０の側部に、操作情報の入力を検出するための検出部としてタッチセンサおよび圧力センサを備える操作領域３０が設けられる。本実施形態に係る操作領域３０では、一方向（例えば上下方向）のみの操作方向を検出することができる。
【００２５】
取得した画像のすべてがディスプレイ２０に表示されていない場合、ユーザは、タッチセンサ３０上で指を移動させて、ディスプレイ２０に表示される画像の表示範囲を移動することができる。例えば、ユーザは、図１に示すように、片手で撮像装置１を保持したときに、ディスプレイ２０に表示された画像を確認しながら、操作領域３０上で指を移動させて、ディスプレイ２０の表示範囲を移動させる。
【００２６】
このとき、画像の表示範囲の移動は操作領域３０の構成より指の上下方向の動きによって行われるが、画像の上下方向の移動のみならず左右方向への移動も同一の操作により行われる。そこで、指の移動方向と画面の表示範囲の移動方向との関連性をわかりやすくするために、本実施形態に係る情報処理装置は、図２および図３に示すようなグラフィックを補助情報として表示する。
【００２７】
例えば、指の移動方向と画像の表示範囲の移動方向とが同一である場合には、図２に示すように、指の移動方向と略平行なグラフィック２１０がディスプレイ２０に表示される。一方、指の移動方向と画像の表示範囲の移動方向とが異なる場合には、図３に示すように、画像の表示範囲の移動方向と略平行であって、指の移動方向と略平行なグラフィック２１０と連動して動くグラフィック２２０がディスプレイ２０に表示される。このようなグラフィック２１０、２２０は、物理的に動きの方向を変換する機構をディスプレイ２０に表示したものであり、例えば図２および図３に示すように、ギアをグラフィック表示したりすることができる。このようなグラフィックを補助情報として表示することにより、ユーザに対して視覚的に画像の表示範囲の移動方向を提示することができるので、操作性を向上させることができる。以下では、このような情報処理装置の構成とこれによる処理について、詳細に説明していく。
【００２８】
［情報処理装置のハードウェア構成］
まず、図４〜図６に基づいて、本実施形態に係る情報処理装置１００のハードウェア構成について説明する。なお、図４は、本実施形態に係る情報処理装置１００のハードウェア構成を示すブロック図である。図５および図６は、本実施形態に係る情報処理装置１００の表示装置１０４およびセンサ部の構成例を示す説明図である。
【００２９】
本実施形態に係る情報処理装置１００は、図４に示すように、ＣＰＵ（Ｃｅｎｔｒａｌ  Ｐｒｏｃｅｓｓｉｎｇ  Ｕｎｉｔ）１０１と、ＲＡＭ（Ｒａｎｄｏｍ  Ａｃｃｅｓｓ  Ｍｅｍｏｒｙ）１０２と、不揮発性メモリ１０３とを備える。さらに、情報処理装置１００は、表示装置１０４と、タッチセンサ１０５と、圧力センサ１０６とを備える。
【００３０】
ＣＰＵ１０１は、演算処理装置および制御装置として機能し、各種プログラムに従って情報処理装置１００内の動作全般を制御する。また、ＣＰＵ１０１は、マイクロプロセッサであってもよい。ＲＡＭ１０２は、ＣＰＵ１０１の実行において使用するプログラムや、その実行において適宜変化するパラメータ等を一時記憶する。これらはＣＰＵバスなどから構成されるホストバスにより相互に接続されている。不揮発性メモリ１０３は、ＣＰＵ１０１が使用するプログラムや演算パラメータ等を記憶する。不揮発性メモリ１０３は、例えばＲＯＭ（Ｒｅａｄ  Ｏｎｌｙ  Ｍｅｍｏｒｙ）やフラッシュメモリ等を用いることができる。
【００３１】
表示装置１０４は、情報を出力する出力装置の一例である。表示装置１０４として、例えばＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置などを用いることができる。本実施形態では、図１に示した、撮像装置１のディスプレイ２０を用いることができる。
【００３２】
タッチセンサ１０５は、ユーザが情報を入力する入力装置の一例であって、情報を入力ための入力手段と、ユーザによる入力に基づいて入力信号を生成し、ＣＰＵ１０１に出力する入力制御回路などから構成されている。ユーザは、タッチセンサ１０５を操作することにより、情報処理装置１００に対して各種のデータを入力したり処理動作を指示したりすることができる。また、圧力センサ１０６は、ユーザが操作体によって押圧する押圧力を検出するセンサである。圧力センサ１０６は、検出した押圧力を電気信号に変換し、検出結果として出力する。
【００３３】
本実施形態に係る情報処理装置１００のタッチセンサ１０５および圧力センサ１０６は、表示情報を移動させる操作情報の入力を検出するセンサ部１０７である。タッチセンサ１０５および圧力センサ１０６からなるセンサ部１０７は、例えば図５に示すように、表示装置１０４とは別体に、当該表示装置１０４の側部に設けてもよく、図６に示すように、表示装置１０４と積層して設けてもよい。なお、表示装置１０４とセンサ部１０７とを積層させる場合、図６のように表示装置１０４の表示領域全面にわたってセンサ部１０７を設けてもよく、操作入力が行われる操作領域３０にのみセンサ部１０７を設けてもよい。
【００３４】
［情報処理装置の機能構成］
次に、図７に基づいて、本実施形態に係る情報処理装置１００の機能構成について説明する。なお、図７は、本実施形態に係る情報処理装置１００の機能構成を示すブロック図である。本実施形態に係る情報処理装置１００は、図７に示すように、入力表示部１１０と、表示制御部１２０と、接触判定部１３０と、圧力判定部１４０と、記憶部１５０とからなる。
【００３５】
入力表示部１１０は、情報を表示するとともに情報を入力するための機能部であって、接触検出部１１２と、圧力検出部１１４と、表示部１１６とを備える。接触検出部１１２は、図４のタッチセンサ１０５に対応し、センサ部１０７が設けられた操作領域に操作体が接触したか否かに応じて変化する静電容量の値を検出する。操作体が表示面に接触すると、接触検出部１１２の検出する静電容量が増加する。これより、接触検出部１１２の検出した静電容量の値が所定の値を超えたとき、操作置が表示面に接触していると判定することができる。接触検出部１１２は、検出した静電容量の値を検出結果として表示制御部１２０へ出力する。
【００３６】
圧力検出部１１４は、図４の圧力センサ１０６に対応し、操作体が操作領域を押圧する圧力を検出する。圧力検出部１１４は、圧力の大きさに応じた電気信号を検出結果として表示制御部１２０へ出力する。表示部１１６は、図４の表示装置１０４に対応する出力装置であって、表示制御部１２０により表示処理された情報を表示する。表示部１１６には、例えばコンテンツや画像、テキスト、地図等の表示情報や、操作状態を示す補助情報が表示される。
【００３７】
表示制御部１２０は、接触検出部１１２および圧力検出部１１４から入力された検出結果に基づいて、表示部１１６に表示される表示情報および補助情報の表示制御を行う制御部である。表示制御部１２０は、接触検出部１１２から入力された静電容量の値を接触判定部１３０へ出力し、接触判定部１３０に操作体が表示部１１６の表示面に接触したか否かを判定させる。そして、表示制御部１２０は、接触判定部１３０の判定結果を受け取ると、判定結果に基づき、表示部１１６に表示されている表示情報の移動および補助情報の表示処理を開始する。さらに、表示制御部１２０は、接触判定部１３０の認識した操作体の接触位置より当該操作体の移動量および移動速度を算出し、これらの情報に応じて表示情報や補助情報の表示を変更する。
【００３８】
また、表示制御部１２０は、圧力検出部１１４から入力された圧力の大きさを示す電気信号を圧力判定部１４０へ出力し、圧力判定部１４０に対して、操作体の動作により生じた圧力の大きさや圧力の変化量を判定させる。そして、表示制御部１２０は、圧力判定部１４０の判定結果を受け取ると、判定結果に基づいて、表示部１１６に表示されている表示情報の移動および補助情報の表示処理を開始する。その後、表示制御部１２０は、表示処理された表示情報および補助情報を表示部１１６に表示させる。
【００３９】
接触判定部１３０は、接触検出部１１２の検出結果に基づいて、表示部１１６の表示面に対する操作体の接触の有無および接触位置を判定する。接触判定部１３０は、表示制御部１２０から接触検出部１１２の各静電センサの検出した静電容量の値が入力されると、操作体が表示部１１６の表示面に接触しているか否かを判定する。接触判定部１３０は、静電容量の増加量が所定の値を超えたとき操作体が表示面に接触したと判定する。また、接触判定部１３０は、所定の値以上の静電容量が検出された静電センサの位置より、表示面における操作体の接触位置も認識することができる。そして、接触判定部１３０は、操作体が表示面に接触したか否かについての判定結果と、接触したと判定した場合には操作体の接触位置とを、表示制御部１２０へ出力する。
【００４０】
圧力判定部１４０は、圧力検出部１１４の検出結果に基づいて、操作体が表示面を押圧する圧力の大きさを判定する。本実施形態にかかる入力表示装置１００では、ユーザが表示面を押圧する圧力の大きさを変化させることにより、表示情報の移動方向の切り替えや、表示情報の拡大／縮小、表示情報の移動速度の切り替え等を行うことができる。圧力判定部１４０は、操作領域における圧力の大きさやその変化量を判定する。このとき、圧力判定部１４０は、記憶部１５０を参照して、操作領域における圧力の大きさと各種圧力閾値とを比較し、比較結果を表示制御部１２０へ出力する。
【００４１】
記憶部１５０は、図４の不揮発性メモリ１０３に対応し、操作領域における圧力の大きさの程度を判定するために用いられる各種設定情報が記憶されている。設定情報としては、表示情報の移動方向の切り替え方向を変化させる基準となる圧力や、操作体の移動速度に対応して設定された表示情報の移動速度、圧力の大きさと表示情報の拡大縮小率との関係等がある。
【００４２】
［情報処理装置による表示制御］
このような情報処理装置１００を備えることにより、操作領域にて操作体の接触や押圧、移動が検知されたとき、これらに応じて表示部１１６に表示される表示情報を移動させたり、拡大／縮小させたりする。これとともに、情報処理装置１００は、表示情報の移動処理が行われている場合に、操作体の移動方向と表示情報の移動方向との関連性を示す補助情報を表示させる。
【００４３】
以下、図８〜図１０に基づいて、本実施形態に係る情報処理装置１００による表示制御について説明する。なお、図８は、本実施形態に係る情報処理装置１００の表示制御処理を示すフローチャートである。図９は、操作体の移動方向と表示情報の移動方向との関連性を示す補助情報の表示例を示す説明図である。図１０は、補助情報の表示の切り替えの一例を示す説明図である。なお、以下では、操作体をユーザの指とし、表示情報をコンテンツとして説明する。
【００４４】
本実施形態に係る情報処理装置１００による表示制御処理は、当該処理を開始する開始動作を検出することにより開始される。例えば、ユーザの指等の操作体が操作領域に接触（タッチ）することを開始動作とすることができる。このとき、情報処理装置１００は、接触検出部１１２の検出結果に基づいて、接触判定部１３０により操作体が接触領域に接触したか否かを判定する（ステップＳ１００）。操作体の接触はないと判定した場合は、情報処理装置１００は当該処理を繰り返す。一方、操作体が接触したと判定した場合には、情報処理装置１００は、表示部１１６の表示領域に対して表示情報であるコンテンツを移動可能な状態であるかどうか判定する（ステップＳ１１０）。
【００４５】
コンテンツを移動可能な状態とは、例えば、表示領域に対してコンテンツの表示サイズが大きく、表示領域内にコンテンツの表示内容を表示しきれない場合等がある。このとき、コンテンツの表示範囲を移動させることで、表示領域外のコンテンツの表示内容も確認できるようになる。この他、コンテンツを移動可能な状態としては、操作体の操作領域における移動によりポインタ等を移動させる場合も該当する。情報処理装置１００の表示制御部１２０は、コンテンツを移動可能な状態であるか否かを判定し、移動することができない場合には当該処理を終了し、移動可能である場合には、コンテンツの表示範囲の移動方向に応じたグラフィックを補助情報として表示する（ステップＳ１２０）。
【００４６】
ここで、本実施形態に係る情報処理装置１００を備える撮像装置１の操作領域は、操作体の動きを一方向しか検出することができない。これに対して、コンテンツの表示範囲は、一方向のみに移動可能であったり、複数方向に移動可能であったりする。操作体の移動方向とコンテンツの移動方向とが一致する場合には、ユーザにとってはその操作を直感的に認識し易く容易に行うことができる。しかし、ユーザが実際に操作体を移動させる方向と異なる方向にコンテンツが移動すると、その操作を直感的に認識し難くなり、操作性が低下する。そこで、本実施形態に係る情報処理装置１００は、操作体の移動方向と、コンテンツの移動方向との関係性を分かりやすくするための補助情報を表示部１１６に表示する。
【００４７】
補助情報は、物理的に動きの方向を変換する機構をグラフィック表示したものである。例えば、図９に示すように、撮像装置１のディスプレイ２０にコンテンツ２００が表示されているとする。このとき、操作領域により検出可能な移動方向は、ｙ軸方向の一方向のみであり、コンテンツは、ｘ軸方向およびｙ軸方向の２方向に移動可能であるとする。情報処理装置１００は、ユーザが操作領域において指をｙ軸方向に移動させているとき、指の移動方向に略平行なギアのグラフィック２１０を表示する。グラフィック２１０は、指がｙ軸方向に移動すると、指の移動方向に合わせてｙ軸正方向あるいは負方向に移動するように表示される。
【００４８】
一方、コンテンツ２００をｘ軸方向に移動させるときには、情報処理装置１００は、ギアのグラフィック２１０と交差する、ｘ軸方向に略平行のギアのグラフィック２２０を表示する。ギアのグラフィック２２０の歯は、交差する位置においてギアのグラフィック２１０の歯と噛み合うように表示される。ユーザが操作領域において指をｙ軸方向に移動させると、情報処理装置１００は、指の移動方向と移動方向が一致するグラフィック２１０を、指の移動方向に移動するように表示する。これとともに、情報処理装置１００は、グラフィック２１０の歯に送り出されてグラフィック２２０の歯が移動するように、グラフィック２２０を表示する。このように、グラフィック２１０の移動に連動させて機構的に移動するようにグラフィック２２０を表示することにより、指の移動方向がコンテンツの移動方向に変換される様子を視覚的にユーザに伝えることができる。これにより、指の移動方向とコンテンツの移動方向との相違による操作時の違和感を低減することができる。
【００４９】
情報処理装置１００の表示制御部１２０は、接触判定部１１２による検出結果に基づき接触判定部１３０が操作領域に指が接触したと判定し、表示部１１６に表示されているコンテンツ２００の表示範囲を移動可能な状態であるとき、指の移動方向と略平行に、表示領域内の側部にグラフィック２１０を表示させる。例えば、図９に示すような略四角形の表示領域の場合には、ｙ軸方向に略平行な辺のうち、操作領域に近い側の辺に沿ってグラフィック２１０は表示される。このように、補助情報を表示領域の側部に表示することにより、補助情報の背面側に表示されている表示情報の表示を妨げないようにする。さらに、補助情報として表示されるグラフィック２１０、２２０の色を表示情報であるコンテンツ２００の色調に合わせることにより、コンテンツ２００の表示を妨げないようにすることもできる。
【００５０】
そして、情報処理装置１００は、かかる状態でのコンテンツ２００の移動方向と指の移動方向との関係を認識し、これらの移動方向が相違する場合には、コンテンツ２００の移動方向に略平行なグラフィック２２０を表示領域の他の側部に表示する。例えば、図９に示すような略四角形の表示領域の場合には、情報処理装置１００の表示制御部１２０は、表示領域の下部領域に、ｘ軸方向に略平行に延びるように、グラフィック２２０を表示させる。このとき、グラフィック２１０およびグラフィック２２０は交差して、これらのギアの歯同士が噛み合うように表示される。
【００５１】
このようにグラフィック２１０、２２０が表示された状態で、ユーザが操作領域で指を移動させると、指の移動方向と同一方向にギアのグラフィック２１０が移動する。さらにグラフィック２２０が表示されている場合には、グラフィック２１０の動きに連動してグラフィック２２０が移動するように表示する。
【００５２】
次いで、情報処理装置１００の表示制御部１２０は、指が操作領域に対して押し込まれたか否かを判定する（ステップＳ１３０）。本実施形態に係る情報処理装置１００を備える撮像装置１では、上述したように、操作領域において一方向の操作のみしか入力することができない。しかし、コンテンツ２００の移動方向を切り替えることによって、複数の方向へコンテンツ２００の表示範囲を移動させることができる。本実施形態では、コンテンツ２００の移動方向の切り替えは、操作領域を指で押し込む動作により行うとする。もちろん、本発明はかかる例に限定されず、例えば、操作領域内での他の動作をコンテンツ２００の移動方向の切り替えるための操作としてもよく、別途の切り替えボタンを設けて当該ボタンが押下されたときにコンテンツ２００の移動方向の切り替えてもよい。
【００５３】
情報処理装置１００の圧力判定部１４０は、圧力検出部１１４による検出結果から指の押圧力が所定の圧力閾値以上となった後所定の圧力閾値未満となったか否かを判定することにより、操作領域が押し込まれたか否かを判定する。そして、操作領域が押し込まれたと判定された場合には、表示制御部１２０は、コンテンツ２００の移動方向を変更するとともに、変更後のコンテンツ２００の移動方向に略平行なグラフィックをグラフィック２１０とともに表示する（ステップＳ１４０）。
【００５４】
例えば、図１０の右図に示すように、指の移動方向（すなわち、操作領域において入力可能な方向）と略平行なグラフィック２１０のみが表示された状態では、コンテンツ２００は指の移動方向と略同一のグラフィック２１０の延びる方向に移動する。このため、指を例えば上方向へ移動させると、コンテンツ２００は、位置２００ｃから位置２００ｄへ移動する。また、指で操作領域が押し込まれると、コンテンツ２００の移動方向が上下方向から左右方向へ変更され、図１０の左図に示すように左右方向に略平行なグラフィック２２０が表示される。そして、ユーザが指を上方向に移動させると、コンテンツ２００は、位置２００ａから位置２００ｂへ移動する。このとき、グラフィック２２０は、指の動きに合わせて移動するように表示されるグラフィック２１０に連動して移動するように表示される。
【００５５】
このように、コンテンツ２００の移動方向を切り替えることにより、操作領域からは一方向の操作しか入力できない場合であっても、コンテンツ２００を複数の方向へ移動させることが可能となる。図１０の例では、指を押し込むごとに、コンテンツ２００の上下方向の移動と左右方向の移動とを切り替えることができ、これに応じて補助情報（本実施形態ではギアのグラフィック２１０、２２０）が表示される。
【００５６】
コンテンツ２００の移動方向が切り替えられない間は、操作領域上で指が移動したか否かを検出し（ステップＳ１４０）、指が移動した場合には、指の移動に応じてグラフィック２１０、２２０が移動するように表示するとともに、コンテンツ２００の表示範囲を移動させる（ステップＳ１６０）。なお、指が移動していない場合には、コンテンツ２００の移動は行われない。その後、接触検出部１１２の検出結果に基づいて、接触判定部１３０により指が操作領域から離隔されたか否かを判定し（ステップＳ１７０）、指が離隔されたと判定した場合、当該処理を終了する。一方、指が操作領域に接触した状態である場合には、ステップＳ１５０の処理へ戻り、指が操作領域から離隔されるまで処理を繰り返す。
【００５７】
以上、本発明の第１の実施形態に係る情報処理装置１００による表示制御処理について説明した。情報処理装置１００によれば、操作体による操作方向と表示情報の移動方向との関連性を表す補助情報を、表示情報の移動可能方向に応じて表示する。これにより、ユーザは視覚的に表示情報の移動方向を確認することができ、操作性を向上させることができる。
【００５８】
＜２．第２の実施形態＞
次に、本発明の第２の実施形態に係る情報処理装置１００による補助情報の表示例について説明する。本実施形態に係る情報処理装置１００の構成は、第１の実施形態に係る情報処理装置１００とほぼ同様である。情報処理装置１００は、第１の実施形態では、補助情報として交差する２つのラック状のギアのグラフィック２１０、２２０を表示させたが、本実施形態では、歯車のグラフィックを補助情報として表示させる。歯車のグラフィックを補助情報とすることにより、表示情報の移動方向だけでなく、表示情報の移動速度も表現することも可能となる。以下、図１１および図１２に基づいて、本実施形態に係る情報処理装置１００による補助情報の表示制御について詳細に説明する。なお、図１１は、補助情報として歯車のグラフィックを表示させた一例を示す説明図である。図１２は、変速ギアの機能を適用してコンテンツ２００の移動速度を示す補助情報の一表示例を示す説明図である。
【００５９】
［回転型の操作部を用いるときの補助情報の表示例］
本実施形態の情報処理装置１００は、例えば、図１１に示すように指で回転させるダイヤル型の操作部４０を備える装置を用いる場合や、指の回転方向を検出可能な操作領域を備える装置を用いる場合に、その回転方向を示す歯車のグラフィック２４０を表示する。グラフィック２４０は、指の動きにより直接的に動かされる部材の移動方向を示す。この操作によりディスプレイ２０に表示された表示情報であるコンテンツ２００が直線的に移動されるとき、表示制御部１２０は、コンテンツ２００の移動方向をユーザに分かり易く提示するための補助情報を表示する。
【００６０】
例えば、図１１に示す操作体４０の回転に応じてコンテンツ２００を上下方向および左右方向に移動させることができるとする。操作体４０の操作によってコンテンツ２００を上下方向に移動可能な場合には、図１１に示すように、コンテンツ２００の移動方向である上下方向に延びるラック状のギアのグラフィック２１０が歯車のグラフィック２４０と噛み合うように表示される。
【００６１】
ユーザが操作部４０を時計回りに回転させると、表示制御部１２０によりコンテンツ２００は上方向に移動される。このとき、操作部４０の回転に対応して回転するようにグラフィック２４０が表示される。そして、歯車のグラフィック２４０の歯と噛み合うように表示されたラック状のギアのグラフィック２１０が、グラフィック２４０の動きに連動して上方向に移動するように表示される。すなわち、操作部４０の回転する動きが表示情報の上下方向の動きに変換されるような補助情報を表示することにより、コンテンツ２００の移動方向とは異なる方向に指を動かして操作していても、ユーザが違和感なく操作を行うことができるようにすることができる。
【００６２】
一方、ユーザが操作部４０を反時計回りに回転させると、表示制御部１２０は、コンテンツを下方向に移動させる。このとき、表示制御部１２０は、歯車のグラフィック２４０を反時計回りに回転するように表示するとともに、ラック状のギアのグラフィック２１０を下方向に移動するように表示する。
【００６３】
また、コンテンツ２００を左右方向へ移動させたい場合には、所定の動作、例えば操作部４０を装置内部側へ押し込むことにより、コンテンツ２００の移動方向を切り替えるようにしてもよい。コンテンツ２００の移動方向が切り替えられると、表示制御部１２０は、補助情報として、歯車のグラフィック２４０と、当該グラフィック２４０の歯と噛み合う歯を有する、コンテンツ２００の移動方向と略平行なラック状のギアのグラフィックを表示する。これにより、コンテンツ２００の移動方向が変化しても、指で操作される操作部４０の動きとコンテンツ２００の移動方向との関連性を表すことができる。コンテンツ２００を上下方向および左右方向以外に移動可能な場合にも、コンテンツ２００の移動方向に応じて、同様に補助情報を表示させればよい。
【００６４】
［変速ギアの機能を適用したコンテンツの移動速度の提示］
歯車のグラフィックとラック状のギアのグラフィックとを補助情報として用いる場合、回転方向への移動が直線方向への移動に変換される状況を提示することができるだけでなく、歯車のギア比を変更して指の移動速度に対するコンテンツ２００の移動速度を表すことも可能となる。例えば図１２に示すような変速ギアを適用した補助情報の表示が考えられる。変速ギアは、異なる歯数の歯車を噛み合わせて、一の歯車の回転角に対する他の歯車の回転角の比率を変化させる機構である。かかる比率を変化させることにより、それぞれの歯車によって駆動する対象物の移動速度を相違させることができる。
【００６５】
図１２には、コンテンツ２００の移動方向に移動するように表示されるラック状のギアのグラフィック２１０と、ユーザの指の移動速度に対応して移動するラック状のギアのグラフィック２５０とが表示されている。これらの間には、回転軸を同一とする第１のギア２４２および第２のギア２４４からなる変速ギアのグラフィックが表示されている。第１のギア２４２の直径は第２のギア２４４の直径よりも大きく、第１のギア２４２および第２のギア２４４は一方の回転により連動して回転する。このため、第１のギア２４２により駆動される対象物の方が第２のギア２４４により駆動される対象物よりも移動量が大きく、移動速度が速くなる。
【００６６】
なお、図１２に示す例では、第１のギア２４２と第２のギア２４４とは同一方向に回転するものとする。しかし、本発明は係る例に限定されず、第１のギア２４２と第２のギア２４４とが反対方向に回転するようにしてもよい。すなわち、指が下方向に移動されると、グラフィック２５０と噛み合うギアは時計回りに回転するが、グラフィック２１０と噛み合うギアは反時計回りに回転する。これにより、グラフィック２１０、２５０を同一方向に移動するように表示することができる。
【００６７】
例えば、図１２の左図に示すように、コンテンツ２００の移動方向に対応するグラフィック２１０が第１のギア２４２により駆動され、指の移動方向に対応するグラフィック２５０が第２のギア２４４に駆動されるとする。このとき、指の移動量に対してコンテンツ２００の移動量は大きい。一方、図１２の右図に示すように、コンテンツ２００の移動方向に対応するグラフィック２１０が第２のギア２４４により駆動され、指の移動方向に対応するグラフィック２５０が第１のギア２４２に駆動されるとする。このとき、指の移動量に対してコンテンツ２００の移動量は小さくなる。
【００６８】
このような変換ギアの特性を適用し、指の移動量に対するコンテンツ２００の移動量を、変換ギアのグラフィックを介してコンテンツ２００の移動方向に対応するグラフィック２１０と、指の移動方向に対応するグラフィック２５０とに対応させる。これにより、ユーザは、指の移動方向とコンテンツ２００の移動方向とを視覚的に認識でき、さらに、指の移動量に対するコンテンツ２００の移動量も視覚的に認識することが可能となる。
【００６９】
ここで、コンテンツ２００の移動速度を変更する操作として、例えば、コンテンツ２００を移動させるために動かされている操作体が操作領域を押圧する力に応じてコンテンツ２００の移動速度を変更させることができる。この場合、例えば、操作領域を強く押圧しながら指を移動させている場合には、コンテンツ２００の移動速度を小さくし、コンテンツ２００の表示範囲を細かく調整できるようにする。また、操作領域の押し込みが軽い状態で指を移動させている場合には、コンテンツ２００の移動速度を大きくし、コンテンツ２００を大まかに移動できるようにする。コンテンツ２００の移動速度は、操作領域を押圧する力が設定された圧力閾値を超えるごとに（あるいは下回るごとに）段階的に変化させてもよく、押圧する力の大きさに応じて連続的に変化させるようにしてもよい。
【００７０】
本実施形態に係る情報処理装置１００は、コンテンツ２００の表示範囲を移動させるために操作体が操作領域で動かされているとき、圧力検出部１１４にて検出された圧力の大きさに応じて、歯車のグラフィックを変更し、指の移動速度とコンテンツ２００の移動速度との対応関係を補助情報として視覚的に表して提示する。これにより、ユーザは操作体の移動方向および移動速度とコンテンツ２００の移動方向および移動速度とを視覚的に認識することができ、操作性を向上させることができる。
【００７１】
なお、本実施形態では歯車のグラフィックは回転軸を同一にするものであったが、本発明は係る例に限定されず、他の表示も可能である。例えば、隣接する歯車同士が噛合するように異なる複数の歯車のグラフィックを表示して、端部の歯車のグラフィックがラック状のギアのグラフィックと噛み合うように表示することもできる。
【００７２】
＜３．第３の実施形態＞
次に、図１３に基づいて、本発明の第３の実施形態による補助情報の表示例について説明する。本実施形態に係る情報処理装置１００の構成も、第１の実施形態に係る情報処理装置１００とほぼ同様である。情報処理装置１００は、第１の実施形態で補助情報として交差する２つのラック状のギアのグラフィック２１０、２２０を表示させたが、本実施形態では、これらのグラフィック２１０、２２０にコンテンツ２００の表示範囲を示す補助情報をさらに表示する。
【００７３】
第１の実施形態において説明したように、コンテンツ２００の全体サイズが表示部１１６の表示領域２０よりも大きいとき、コンテンツ２００は移動可能な状態となる。ユーザは、操作領域上で指を移動させてコンテンツ２００を所望の方向に移動させることができる。このとき、本実施形態に係る情報処理装置１００は、操作体の移動方向とコンテンツ２００の移動方向との関連性を示す補助情報を表示するとともに、コンテンツ２００の全体サイズに対する現在の表示範囲を示す補助情報をさらに表示する。
【００７４】
例えば、図１３に示すように、ディスプレイ２０の表示領域に対して、コンテンツ２００の全体サイズが大きいとする。コンテンツ２００のうち、ハッチングされている領域はディスプレイ２０には表示されていない領域である。ユーザは操作領域にて指を移動させることによりコンテンツ２００を上下左右に移動させることができる。このとき、本実施形態に係る情報処理装置１００の表示制御部１２０は、補助情報として表示されているグラフィック２１０、２２０上に、コンテンツ２００の全体サイズに対する表示領域に表示されているコンテンツ２００の表示範囲の割合および位置を表すノブ２１２、２２２を表示する。
【００７５】
ノブ２１２、２２２は、例えば図１３に示すように、コンテンツ２００の全体サイズに対する表示領域に表示されているコンテンツ２００の表示範囲の割合に応じた矩形状の枠として、コンテンツ２００の全体サイズに対する表示領域に表示されているコンテンツ２００の表示位置に表示することができる。これにより、ユーザは、現在閲覧しているコンテンツ２００の表示範囲が全体サイズのどの位置に対応するかを認識しながら、コンテンツ２００の移動操作を行うことができる。なお、ノブ２１２、２２２の形状や色などの表示の仕方は係る例に限定されるものではない。
【００７６】
＜４．第４の実施形態＞
次に、図１４に基づいて、本発明の第４の実施形態による補助情報の表示例について説明する。本実施形態に係る情報処理装置１００の構成も、第１の実施形態に係る情報処理装置１００とほぼ同様である。情報処理装置１００は、第１の実施形態にて説明した一方向のみの操作情報の入力により複数の方向にコンテンツ２００を移動させることに加え、コンテンツ２００の拡大縮小を行うことも可能である。以下、本実施形態に係る情報処理装置１００によるコンテンツ２００の拡大縮小処理について詳細に説明する。
【００７７】
図１４の左側の２図に示すように、本実施形態に係る情報処理装置１００は、第１の実施形態と同様、コンテンツ２００の移動方向を、例えば操作領域を押し込むこと（クリック）により切り替えることができる。ここで、ユーザがさらに、コンテンツ２００の拡大縮小処理が可能な拡大縮小モードに切り替える所定の動作を行うと、コンテンツ２００の表示範囲を移動する移動モードから拡大縮小モードに切り替わる。拡大縮小モードへ切り替えるための動作としては、例えば操作領域を押し込みながら指を移動させる動作などを割り当てることができる。
【００７８】
拡大縮小モードに切り替わると、指の移動方向とコンテンツ２００の移動方向との関連性を表していた補助情報が非表示となり、図１４の右図に示すようなコンテンツ２００の表示倍率を調整するスケール２３０が表示される。ユーザは、スケール２３０上で指を移動させて、所望の倍率でコンテンツ２００を表示させることができる。表示倍率が大きくなる方向に指を移動させるとコンテンツ２００の表示は拡大され、表示倍率が小さくなる方向に指を移動させるとコンテンツ２００の表示は縮小される。指が操作領域から離隔されると、拡大縮小モードは終了する。このとき、終了時点の表示倍率の状態でコンテンツ２００を表示させてもよく、予め設定された基本倍率でコンテンツ２００を表示するようにしてもよい。
【００７９】
このように、本実施形態に係る情報処理装置１００を用いることにより、操作領域から一方向のみの操作情報しか入力できない場合にも、多様な処理を行うことが可能となる。
【００８０】
［第１〜第４の実施形態の表示処理の適用例］
以上、第１〜第４の実施形態にて説明した情報処理装置１００による表示制御処理は、撮像装置１のディスプレイ２０に表示される画像の操作のみならず、例えば、ウェブブラウザやマップビューワー等の操作にも適用することができる。操作領域が小さくても上記のような操作が可能となることから、特に、小型の携帯端末等において有効である。
【００８１】
例えば、図１５に、上記第１の実施形態に係る情報処理装置１００による表示制御処理をウェブブラウザ２０２の操作に適用した場合の一例を示す。ディスプレイの表示領域がウェブブラウザ２０２の全体サイズよりも大きい場合、表示領域にはウェブブラウザ２０２の一部が表示される。
【００８２】
例えば、ウェブブラウザ２０２の表示範囲を移動するための操作情報を入力する操作領域が一方向（例えば、図１５の紙面上下方向）のみしか検出できない場合、図９に示したようなギアのグラフィック２１０、２２０を補助情報として表示する。これにより、スペース上の制限から、上下方向の指の移動によってウェブブラウザ２０２を上下左右に移動させなければならない場合にも、指の移動方向とウェブブラウザ２０２の移動方向との関連性を表す補助情報を表示することで、操作性を向上させることができる。また、第３の実施形態のように、ウェブブラウザ２０２の全体サイズに対する現在の表示範囲を示す補助情報をさらに表示するようにしてもよい。
【００８３】
また、図１６に、上記第４の実施形態に係る情報処理装置１００による表示制御処理をマップビューワー２０４の操作に適用した場合の一例を示す。この場合にも、ウェブブラウザ２０２の表示範囲の移動と同様に、上下方向の指の移動によってマップビューワー２０４を上下左右に移動させなければならない場合に、補助情報としてギアのグラフィック２１０、２２０を表示する。さらに、図１４に示したように、操作モードを拡大縮小モードに切り替え、マップビューワー２０４に表示されたマップを拡大縮小可能とすることにより、マップビューワー２０４の操作性をより向上させることができる。
【００８４】
＜５．第５の実施形態＞
次に、図１７および図１８に基づいて、本発明の第５の実施形態による補助情報の表示例について説明する。本実施形態に係る情報処理装置１００の構成も、第１の実施形態に係る情報処理装置１００とほぼ同様である。情報処理装置１００は、第１の実施形態では表示情報のディスプレイ２０の平面方向への移動を、補助情報を用いてわかりやすく示したが、本実施形態では、さらに奥行方向の動きも補助情報を用いて提示する。
【００８５】
例えば、図１７に示すように、ディスプレイ２０の表示領域に、複数のコンテンツ２０６が奥行方向に配列されたコンテンツ一覧が表示されているとする。このとき、表示制御部１２０は、操作領域における指の移動方向と略平行に表示されたギアのグラフィック２１０と噛み合うように、コンテンツ２０６の配列方向に延びるギアのグラフィック２７０を表示する。
【００８６】
ユーザが操作領域上で指を移動させると、コンテンツ一覧のコンテンツ２０６が前方または後方へ移動する操作を行うことができる。このとき、指の移動方向に応じてグラフィック２１０が移動するように表示され、グラフィック２１０の移動に連動して移動するようにグラフィック２７０が表示される。ユーザは、操作領域の直線的な動きが奥行方向への動きに変換されるような補助情報の提示を受けることで、指の動きとこれにより操作される対象の移動方向との関連性を視覚的に認識することができ、操作を行いやすくなる。
【００８７】
さらに、図１８に示すように、表示情報の表示倍率を、奥行方向に延びるギアのグラフィック２７０によって表すこともできる。例えば、グラフィック２７０の奥側に進むにつれて表示情報が縮小され、手前側に進むにつれて表示情報が拡大されるとする。このとき、操作領域上での指の移動に伴ってグラフィック２１０が移動し、これに連動してグラフィック２７０が移動する。ユーザは、グラフィック２７０の全体長さに対するグラフィック２１０、２７０との交差位置より、表示情報の表示倍率を認識することができる。このように、表示情報の表示状態をわかりやすくすることにより、操作性を向上させることができる。
【００８８】
以上、本発明の第１〜第５の実施形態に係る情報処理装置１００の構成と、これを用いた表示情報および補助情報の表示制御処理について説明した。本実施形態に係る情報処理装置１００によれば、表示情報を移動させる操作体の移動方向と表示情報の移動方向とを示す補助情報を表示する。補助情報は、物理的に動きの方向を変換する機構をグラフィックで表したものであり、これにより、操作体の移動方向と表示情報の移動方向との関連性を視覚的にわかりやすくユーザに提示することができ、操作性を向上させることができる。また、変速ギアの特性を適用した補助情報を表示することにより、操作体の移動量とこれに対する表示情報の移動量との関連性を表すこともできる。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９０】
１        撮像装置
１０      筐体
２０      ディスプレイ
３０      操作領域
４０      操作部
１００    情報処理装置
１１０    入力表示部
１１２    接触検出部
１１４    圧力検出部
１１６    表示部
１２０    表示制御部
１３０    接触判定部
１４０    圧力判定部
１５０    記憶部
２００    コンテンツ
２１０、２２０、２４０、２５０、２７０  グラフィック
２１２、２２２  ノブ
２４２    第１のギア
２４４    第２のギア
【図１】
2011107912.tif 000003
【図２】
2011107912.tif 000004
【図３】
2011107912.tif 000005
【図４】
2011107912.tif 000006
【図５】
2011107912.tif 000007
【図６】
2011107912.tif 000008
【図７】
2011107912.tif 000009
【図８】
2011107912.tif 000010
【図９】
2011107912.tif 000011
【図１０】
2011107912.tif 000012
【図１１】
2011107912.tif 000013
【図１２】
2011107912.tif 000014
【図１３】
2011107912.tif 000015
【図１４】
2011107912.tif 000016
【図１５】
2011107912.tif 000017
【図１６】
2011107912.tif 000018
【図１７】
2011107912.tif 000019
【図１８】
2011107912.tif 000020